(57)【特許請求の範囲】
【請求項１】
血液凝固分析器用のカートリッジであって、
複数の試薬チャンバを備え、
前記複数の試薬チャンバは、分析すべき血液の試料が追加される前に、凝固速度改善剤を収容する一方、ヘパリン中和剤、血小板活性剤、フィブリノーゲンを収容しない第１のチャンバを含み、
前記複数の試薬チャンバは、分析すべき血液の試料が追加される前に、凝固速度改善剤とヘパリン中和剤とを収容する一方、血小板活性剤、フィブリノーゲンを収容しない第２のチャンバを含み、
前記複数の試薬チャンバは、分析すべき血液の試料が追加される前に、凝固速度改善剤と血小板活性剤とヘパリン中和剤とを収容する一方、フィブリノーゲンを収容しない第３のチャンバを含み、
前記複数の試薬チャンバは、分析すべき血液の試料が追加される前に、凝固速度改善剤とフィブリノーゲンと血小板阻害剤とを収容する第４のチャンバを含む、
ことを特徴とするカートリッジ。
【請求項２】
前記複数の試薬チャンバは、凝固速度改善剤とヘパリンとを収容する第５のチャンバを更に含む、
ことを特徴とする請求項１に記載のカートリッジ。
【請求項３】
前記複数の試薬チャンバは、凝固速度改善剤と血漿とヘパリン中和剤とを収容する第６のチャンバを更に含む、
ことを特徴とする請求項１に記載のカートリッジ。
【請求項４】
前記複数の試薬チャンバは、凝固速度改善剤とフィブリン溶解阻害剤とヘパリン中和剤とを収容する第７のチャンバを更に含む、
ことを特徴とする請求項１に記載のカートリッジ。
【請求項５】
前記複数の試薬チャンバは、凝固速度改善剤と血小板阻害剤とヘパリン中和剤とを収容する第８のチャンバを更に含む、
ことを特徴とする請求項１に記載のカートリッジ。
【請求項６】
前記試薬チャンバは、血液凝固分析チャンバとして機能するように構成され、
カートリッジが、複数の強磁性物体を更に含み、
前記複数の強磁性物体のうちの少なくとも１つが、前記複数の試薬チャンバの各々内に配置される、
ことを特徴とする請求項１に記載のカートリッジ。
【請求項７】
請求項１に記載のカートリッジと、
１又は２以上の検出器と、前記検出器と作動可能に結合され該１又は２以上の検出器から受け入れたデータに基づいて凝固時間又は凝固強度を決定して異なる試薬が血液と混合される異なる血液分析チャンバからの凝固時間又は凝固強度を比較するように構成された電子機器とを有する血液凝固分析器と、を備えている、
ことを特徴とする血液凝固分析システム。
【請求項８】
前記カートリッジの前記試薬チャンバは、血液凝固分析チャンバとして機能するように構成され、該カートリッジは、複数の強磁性物体を更に含み、該複数の強磁性物体のうちの少なくとも１つが、該複数の試薬チャンバの各々内に配置され、
システムが、前記電子機器と作動可能に結合された１又は２以上の電磁石を更に含み、  前記電子機器は、前記１又は２以上の電磁石を作動して前記強磁性物体を移動させるように構成される、
ことを特徴とする請求項７に記載のシステム。
【請求項９】
前記電子機器は、前記１又は２以上の電磁石を作動して前記複数の血液分析チャンバの各々内で前記強磁性物体を独立に移動するように構成される、
ことを特徴とする請求項８に記載のシステム。
【請求項１０】
前記電子機器は、前記第１のチャンバからの試薬と混合した血液の凝固時間を前記第２のチャンバからの試薬と混合した血液の凝固時間と比較するように構成される、
ことを特徴とする請求項８に記載のシステム。
【請求項１１】
前記電子機器は、前記第２のチャンバからの試薬と混合した血液の凝固強度を前記第３のチャンバからの試薬と混合した血液の凝固強度と比較するように構成される、
ことを特徴とする請求項８に記載のシステム。
【請求項１２】
前記電子機器は、前記第１のチャンバからの試薬と混合した血液の凝固時間を前記第４のチャンバからの試薬と混合した血液の凝固時間と比較するように構成される、
ことを特徴とする請求項８に記載のシステム。
【請求項１３】
前記電子機器は、前記第１のチャンバからの試薬と混合した血液の凝固強度を前記第４のチャンバからの試薬と混合した血液の凝固強度と比較するように構成される、
ことを特徴とする請求項８に記載のシステム。
【発明の詳細な説明】
【技術分野】
【０００１】
一般的に本発明の開示は、取りわけ血液の凝固のような流体の特性変化を検出するための装置及び方法に関する。
【背景技術】
【０００２】
血液凝固のポイントオブケア分析を提供するためのいくつかの装置が利用可能である。これらの装置は、血液凝固、血小板機能、及び出血性合併症に関する貴重な情報を提供するように構成されている。そのような装置は、術前又は術中に適切な抗凝固治療レベルを決定して維持するのを助けること、又は術後に抗凝固治療の中断後の血液状態を決定することのような様々な状況に対して有利である。しかし、容易な試験を可能にするか又は追加情報を提供する追加の又は再構成された装置が望ましい。
【発明の概要】
【発明が解決しようとする課題】
【０００３】
例えば、心肺バイパス術後に異常出血を示す患者に対しては、血液凝固及び血小板機能の有益な情報を提供する容易で正確な分析が重要である場合がある。そのような患者の殆どは、多くの場合に、診断的切開によって修正される不完全な外科的止血に起因する異常出血を示すが、多くのそのような患者は、後天性血小板機能障害、消費性凝固障害、ヘパリンリバウンド、プロタミン過剰、１次フィブリン溶解等に起因する異常出血を示している。従って、血小板機能及び出血性合併症に関する情報を取得することは、不完全な外科的止血によるものではない異常出血の原因を識別し、再手術率を低減するのに役立たせることができる。
【課題を解決するための手段】
【０００４】
本発明の開示は、取りわけ、血液凝固ステータスの即時かつ有益な評価を提供する装置、システム、及び方法を説明する。方法、システム、及び装置は、実施形態において、例えば、ヘパリンリバウンド、プロタミン過剰、消費性凝固障害、血小板機能障害、１次フィブリン溶解などのような凝固機能の複数の態様の試験を単一装置内で可能にするように構成される。実施形態において、血液凝固分析システムにおける使用のための単一カートリッジは、凝固分析に向けて患者の血液と組み合わせることができる異なる凝固影響試薬を収容する複数のチャンバを含む。従来のシステム及び装置を用いて可能であるものよりも完全な分析範囲を達成するために、各チャンバ内の試薬の存在下での凝固時間又は凝固強度を分析することができ、又は異なる試薬の存在下での凝固時間又は凝固強度を比較することができる。
【０００５】
本明細書に説明するように、凝固時間又は凝固強度の分析との組合せでの使用に適する薬剤の選択は、血液凝固、血小板機能、及び出血性合併症の詳細な理解をもたらすことができる。
【０００６】
実施形態において、方法は、残存ヘパリン又はヘパリンリバウンドを診断するためにヘパリナーゼの存在下及び不在下での活性化凝固時間を比較する段階を含む。更に、本方法は、プロタミン過剰を診断するためにヘパリンの存在下及び不在下での活性化凝固時間を比較する段階を含む。更に、本方法は、血小板機能障害を診断するためにヘパリナーゼの存在下及びＡＤＰのような血小板活性剤の存在下又は不在下での凝固強度を比較する段階を含む。更に、本方法は、消費性凝固障害を診断するためにヘパリナーゼの存在下及び血漿の存在下又は不在下での活性化凝固時間を比較する段階を含む。更に、本方法は、フィブリノーゲン欠損、フィブリン重合障害、又はフィブリン溶解亢進を診断するために、ヘパリナーゼの存在下及びフィブリノーゲン又はトラネキサム酸のような抗フィブリン溶解剤の存在下又は不在下での活性化凝固時間及び凝固強度を比較する段階を含む。従って、本明細書に説明する実施形態は、残存ヘパリン又はヘパリンリバウンド、プロタミン過剰、血小板機能障害、消費性凝固障害、及びフィブリノーゲン欠損（血液希釈、失血、及び／又は血液消費に起因する）、フィブリン重合障害（血漿増量剤によって誘起される）、又はフィブリン溶解亢進の分析を可能にする。
【０００７】
実施形態において、システムは、そのような方法を実施するか又はそのような方法を人に実施させるように構成される。例えば、活性化凝固時間及び凝固強度を試験するように構成されたシステムは、凝固時間又は凝固強度を内部で試験することができるいくつかのチャンバを含むことができる。これらのチャンバは、異なる凝固態様を評価するために異なる試薬を含むことができる。例えば、第１のチャンバは、カオリン（又は他の活性剤）を含むことができ、第２のチャンバは、カオリン（又は他の活性剤）とヘパリナーゼとを含むことができ、第３のチャンバは、カオリン（又は他の活性剤）とヘパリンとを含むことができ、第４のチャンバは、カオリン（又は他の活性剤）とＡＤＰ（又は他の血小板活性剤）とヘパリナーゼとを含むことができ、第５のチャンバは、カオリン（又は他の活性剤）と血漿とヘパリナーゼとを含むことができ、第６のチャンバは、カオリン（又は他の活性剤）とフィブリノーゲン（又は他のフィブリン溶解阻害剤）とヘパリナーゼとを含むことができる。６つのチャンバの各々において凝固時間、凝固強度、又はこれらの両方を決定することができ、血液凝固、血小板機能、及び出血性合併症の詳細な理解を達成するために、これらの結果を比較することができる。例えば、残存ヘパリン又はヘパリンリバウンドを診断するために、第１及び第２のチャンバにおける活性化凝固時間（ＡＣＴ）を比較することができる。プロタミン過剰を診断するためには、第１及び第３のチャンバにおけるＡＣＴを比較することができる。血小板機能障害を診断するために、第２及び４のチャンバにおける凝固強度を比較することができる。消費性凝固障害を診断するために、第２及び第５のチャンバにおけるＡＣＴを比較することができる。フィブリン溶解を診断するために、第２及び第６のチャンバにおけるＡＣＴ、凝固強度、又はこれらの両方を比較することができる。好ましくは、システムは、凝固時間パラメータ又は凝固強度パラメータを記録して、各チャンバから得られた結果の間でそのようなパラメータを比較するのに適する電子機器（例えば、メモリ、プロセッサ、回路等）を含む。システムは、凝固時間、凝固強度、又は様々な容器の間の凝固時間及び凝固強度の比較の結果を出力するためのディスプレイを含むことができる。
【０００８】
実施形態において、血液凝固分析の装置又はシステムにおける使用のためのカートリッジは、複数のチャンバを有する。チャンバは、上述の試薬を事前充填することができ、例えば、第１のチャンバは、カオリン（又は他の活性剤）を含み、第２のチャンバは、カオリン（又は他の活性剤）とヘパリナーゼとを含み、第３のチャンバは、カオリン（又は他の活性剤）とヘパリンとを含み、第４のチャンバは、カオリン（又は他の活性剤）とＡＤＰ（又は他の血小板活性剤）とヘパリナーゼとを含み、第５のチャンバは、カオリン（又は他の活性剤）と血漿とヘパリナーゼとを含み、第６のチャンバは、カオリン（又は他の活性剤）とフィブリノーゲン（又は他のフィブリン溶解阻害剤）とヘパリナーゼとを含む。チャンバは、その中で凝固分析を実施することができるように、又は凝固分析の目的で別個の試験チャンバ内に試薬を導入することを可能にすることができるように構成することができる。好ましくは、凝固分析は、試薬チャンバ内に実施される。
【０００９】
本明細書に説明する装置、システム、又は方法の１又は２以上の実施形態は、血液の凝固のような液体の特性変化を評価するための従来の装置、システム、又は方法に優る１又は２以上の利点を提供する。例えば、本明細書に説明する装置、システム、又は方法は、心肺バイパス術のような手術の後に出血性合併症を識別することを可能にすることができ、それによって潜在的な出血発生源を識別するための再手術の率を低減することができる。一例として、本明細書に説明する装置、システム、又は方法を用いて術後出血性合併症が識別された場合に、医療従事者は、不完全又は不適切な手順又は閉鎖からもたらされる出血発生源が患者の出血の原因であるか否かを決定するための再手術の前に、出血性合併症を治療するか、又は合併症が消失するか否かを見守るかを選択することができる。この利点及び他の利点は、以下に続く詳細説明から直ちに理解されるであろう。
【００１０】
概略図は、必ずしも正確な縮尺のものではない。図に対して使用する類似の番号は、類似の構成要素及び段階などを指示する。しかし、与えられた図において構成要素を指示するための番号の使用は、同じ番号でラベル付けした別の図の構成要素を限定するように意図したものではないことは理解されるであろう。更に、構成要素を指示するための異なる番号の使用は、異なる番号が振られた構成要素が同じであることができないことを示すように意図したものではない。
【図面の簡単な説明】
【００１１】
【図１】血液分析システムの実施形態の選択された構成要素の概略図である。
【図２】血液を閉じ込めるチャンバ内で移動可能な物体を示す血液分析システムの実施形態の選択された構成要素の概略図である。
【図３】本明細書に提示する教示に従って使用することができるカートリッジ及び機械の実施形態の略斜視図である。
【図４】本明細書に提示する教示に従って使用することができるカートリッジの実施形態の略上面図である。
【発明を実施するための形態】
【００１２】
以下に続く詳細説明では、化合物、組成、装置、システム、及び方法のいくつかの特定の実施形態を開示している。他の実施形態が見込まれ、本発明の開示の範囲又は精神からずれることなくこれらの実施形態を生成することができることは理解されるものとする。従って、以下に続く詳細説明を限定的な意味で捉えるべきではない。
【００１３】
本明細書で使用する全ての科学技術用語は、別途明記しない限り、当業技術で共通して使用されている意味を有する。本明細書に提供する定義は、本明細書で多くの場合に使用するある一定の用語の理解を容易にするためのものであり、本発明の開示の範囲を限定するように意図したものではない。
【００１４】
本明細書及び特許請求の範囲に対して使用する単数形の記載は、内容が明確に別途指定していない限り、単数及び複数の参照物を有する実施形態を網羅する。
【００１５】
本明細書及び特許請求の範囲に対して使用する「又は」という表現は、内容が明確に別途指定していない限り、一般的に「及び／又は」を含む意味で採用するものである。「及び／又は」という表現は、列記した要素のうちの１つ又は全て、又は列記した要素のうちのいずれか２つ又はそれよりも多くから構成される組合せを意味する。
【００１６】
本明細書に使用する「有する」、「有している」、「含む」、「含んでいる」、「備える」、又は「備えている」などは、非限定的な意味に使用するものであり、一般的に「含むが、限定されない」を意味する。「基本的に構成される」及び「構成される」などは、「備える」などに包摂されることは理解されるものとする。本明細書に使用する「基本的に構成される」は、組成、製品、又は方法などに関するときに、組成、装置、又は方法などの構成要素が、列挙する構成要素、並びに組成、装置、又は方法などの基本的特徴及び新しい特徴に実質的に影響を及ぼすことのないあらゆる他の構成要素に限定されることを意味する。
【００１７】
「好ましい」及び「好ましくは」という言葉は、ある一定の状況下で特定の利点をもたらすことができる本発明の実施形態を指示する。しかし、同じか又は他の状況下で他の実施形態が好ましい場合もある。更に、１又は２以上の好ましい実施形態の具陳は、他の実施形態が有利ではないことを意味するわけではなく、特許請求の範囲を含む本発明の開示の範囲から他の実施形態を除外するように考えられているものではない。
【００１８】
また、本明細書では、端点による数字範囲の具陳は、その範囲に包摂される全ての数字を含む（例えば、１から５は、１、１．５、２、２．７５、３、３．８０、４、５などを含み、又は１０又はそれ未満は、１０、９．４、７．６、５、４．３、２．９、１．６２、０．３などを含む）。値の範囲を特定の値「まで」とする場合に、この値も範囲に含まれる。
【００１９】
本明細書に使用する「凝固強度」を決定するか又は相関付けるという表現は、凝固活性化時間又は凝固の形成の開始後に発生する凝固を示すパラメータを採用する計算又は推定を実施してこのパラメータを決定するか又はそれをこの凝固の強度に相関付けることを意味する。
【００２０】
本明細書で言及するいずれかの方向、例えば、「上部」、「底部」、「左」、「右」、「上側」、「下側」、並びに他の方向及び向きは、本明細書において図を参照するための明瞭化の目的で説明するものであり、実際のデバイス又はシステム、又はこれらのデバイス又はシステムの使用を限定するものではない。本明細書で説明するデバイス又はシステムは、多くの方向及び向きに使用することができる。
【００２１】
本明細書に使用する「予め決められた」閾値は、この値が別の値と比較される時点よりも前に決定された値である。この値は、比較されている値よりも時間的に前に得られたベースラインデータに基づくとすることができ、又は分析前にメモリ内に入れられた値とすることができるなどである。
【００２２】
一般的に本発明の開示は、取りわけ、血液凝固ステータスの即時かつ有益な評価を提供する装置、システム、及び方法に関する。本方法、システム、及び装置は、実施形態において、例えば、ヘパリンリバウンド、プロタミン過剰、消費性凝固障害、血小板機能障害、１次フィブリン溶解などのような凝固機能の複数の態様の試験を単一装置内で可能にするように構成される。実施形態において、血液凝固分析システムにおける使用のための単一カートリッジは、凝固分析に向けて患者の血液と組み合わせることができる異なる凝固影響試薬を収容する複数のチャンバを含む。従来のシステム及び装置を用いて可能であるものよりも完全な分析範囲を達成するために、各チャンバ内の試薬の存在下での凝固時間又は凝固強度を分析することができ、又は異なる試薬の存在下での凝固時間又は凝固強度を比較することができる。
【００２３】
実施形態において、本明細書に説明する方法は、血液凝固を分析するためのあらゆる適切な装置によって採用されるか、又は本明細書に説明するシステムは、そのような装置を含む。例えば、米国特許第６，０１０，９１１号明細書、米国特許第５，１７４，９６１号明細書、米国特許第４，７５２，４４９号明細書、米国特許第５，９５１，９５１号明細書、米国特許第５，９２５，３１９号明細書、米国特許第５，３１４，８２６号明細書、及び米国特許第５，５４１，８９２号明細書に記載されているもののようなプランジャ型のシステム又は装置、又は米国特許第５，６２９，２０９号明細書及び米国特許第６，６１３，２８６号明細書に記載されているもののような電磁石によって移動される強磁性ワッシャを採用するためのシステム又は装置などを本明細書に提示する教示に従って採用することができ、又は本明細書に説明する方法を実施するように修正することができる。上述の特許の各々は、本明細書に提示する開示内容と矛盾しない範囲でそれぞれの全体がこれにより引用によって組み込まれる。態様において、本明細書に提示する説明は、電磁石によって移動される強磁性ワッシャを採用するためのシステム及び装置に適合する。しかし、多くの場合に、本明細書に説明する方法を実施するのに他の適切なシステム及び装置を使用することができることは理解されるものとする。
【００２４】
採用されるシステムのタイプに関わらず、血液凝固分析システムは、分析に向けて内部に血液を導入することができるチャンバを含む。通常、システムは、血液の凝固に影響を及ぼすことができる１又は２以上の試薬と血液を混合するように構成される。例えば、システムは、血液と１又は２以上の試薬とを混合するのに音波、超音波、又は他の波、ワッシャ、プランジャ、ロッド、又は振動などを採用することができる。これらの試薬又は血液の攪拌は、血液の凝固を容易にすることができる。システムは、血液粘性の変化をモニタし、そのような変化を凝固ステータスと相関付けるように構成される。例えば、システムは、血液粘性又は凝固ステータスが変化したか否かを決定するために波をモニタし、プランジャ又はワッシャのような物体の位置又は移動速度をモニタし、又はロッドの相対位相をモニタするなどを行うための１又は２以上の検出器を含むことができる。一般的にシステムは、多くの場合に活性化凝固時間と呼ばれる血液凝固が発生するための時間量を決定するように構成される。システムは、血液と凝固に影響を及ぼす異なる試薬とを閉じ込めるように構成された１つよりも多いチャンバを含むことができ、それによってこれらの様々なチャンバにおける凝固活性化時間又は凝固強度の比較を血液凝固過程に関する情報を導出するために使用することができる。
【００２５】
一例として、図１〜図２を参照すると、血液分析システム１００の例の選択された構成要素の概略図が示されている。図示のシステム１００は、チャンバ１０内に含まれる血液４０中で移動可能な強磁性物体５０を採用するためのシステムである。実施形態において、チャンバは、試験過程中に静止状態に留まるように構成される。物体５０は、電子機器６０（図２の左を参照されたい）と作動可能に結合された電磁石２０により、重力に対して移動可能である。電子機器６０は、電磁石２０の作動を制御するように構成される。物体５０は、重力に対して移動することができ、物体５０が血液４０中を沈降する際のチャンバ１０における物体５０の位置及び移動速度を同じく電子機器６０と作動可能に結合されたセンサ３０（図２の右を参照されたい）によって検出することができる。複数のチャンバが採用される実施形態において、電子機器６０は、好ましくは、各チャンバ１０内で強磁性物体５０を個々にクロストークなく移動するように構成される。個々のチャンバの内部又はチャンバ間の物体５０の移動を検出するために、１又は２以上の検出器又はセンサ３０を採用することができる。
【００２６】
電子機器６０は、プロセッサ、メモリ、ユーザインタフェース、タイマ又は計数器、又は電源などを含むことができる。電子機器は、１又は２以上のマイクロプロセッサ、ＤＳＰ、ＡＳＩＣ、ＦＰＧＡ、又はプログラマブル論理回路などのようなあらゆる適切なプロセッサを含むことができ、本明細書におけるプロセッサによる機能は、ハードウエア、ファームウエア、ソフトウエア、又はこれらのいずれかの組合せとして実施することができる。メモリは、プロセッサをして本明細書に説明するシステム又は装置に帰する機能を提供させる命令を格納することができ、更に本明細書に説明するシステム又は装置に帰するものとする機能を提供するのにプロセッサが使用する情報を格納することができる。メモリは、ＲＡＭ、ＲＯＭ、ＣＤ−ＲＯＭ、ハード磁気ディスク又はフロッピー磁気ディスク、又はＥＥＰＲＯＭなどのようないずれかの固定的又は取外し可能な磁気的、光学的、又は電気的な媒体を含むことができる。メモリは、メモリ更新を提供するために又はメモリ容量を増加するために使用することができる取外し可能メモリ部分を含むことができる。電源は、本明細書に説明するシステム又は装置の構成要素に作動電力を供給することができる。電源は、バッテリ及び作動電力を生成するための発電回路のようなＡＣ電源又はＤＣ電源とすることができる。
【００２７】
さらに図１〜図２を参照すると、血液が凝固する場合のような血液４０の粘性が高まる時には、血液４０中を沈降する物体５０の移動速度が低下することになる。電子機器６０は、センサからのデータに基づいて、物体５０が沈降する距離又は物体５０が沈降する際の速度を決定するように構成される。電子機器６０は、例えば、距離又は速度が初期の距離又は速度に対して予め決められた量又はパーセントだけ減少する時点を決定することによって活性化凝固時間を検出するように構成することができる。上述のように、そのようなタイプの血液凝固分析の装置及びシステムに関する更なる詳細は、例えば、米国特許第５，６２９，２０９号明細書及び米国特許第６，６１３，２８６号明細書に記載されている。
【００２８】
米国特許出願第１３／７８８，２８３号明細書に記載されているように、ワッシャのような移動可能強磁性物体５０を採用するためのシステム及び装置は、活性化凝固時間に加えて又はこれに代えて凝固強度を評価するように構成することができる。２０１３年３月７日に出願され、代理人整理番号Ｃ１７９０．ＵＳＵ１を有する「血液凝固を分析するための装置及び方法（Ａｐｐａｒａｔｕｓ  ａｎｄ  Ｍｅｔｈｏｄ  ｆｏｒ  Ａｎａｌｙｚｉｎｇ  Ｂｌｏｏｄ  Ｃｌｏｔｔｉｎｇ）」という名称の米国特許出願第１３／７８８，２８３号明細書は、本明細書に提示する開示内容と矛盾しない範囲でこれによりその全体が引用によって本明細書に組み込まれる。
【００２９】
実施形態において、血液凝固の様々な態様を査定するために、血液分析システムにおいて、使い捨てとすることができる単一カートリッジを使用することができる。カートリッジは、血液凝固影響試薬を収容することができる複数のチャンバを含む。試薬チャンバは、内部で血液凝固分析が実施されるチャンバとすることができ、又は内部で血液凝固分析が実施されるチャンバと連通しているとすることができ、この場合に、分析に向けて、試薬チャンバからの試薬が、この凝固チャンバに供給される（例えば、引き込まれるか又は流れ込む）。試薬及び凝固分析（例えば、凝固時間又は凝固強度）は、広範囲にわたる出血診断査定を可能にするように選択される。
【００３０】
次いで、図３〜図４を参照すると、カートリッジ及び血液分析器３００の実施形態が示されている。当然ながら、図３〜図４に関して本明細書に示し、説明するもの以外のカートリッジ及び分析器は、本明細書に提示する技術に従って使用するか、又は使用するように修正することができる。
【００３１】
図３は、使い捨てカートリッジ２００及び関連の血液分析デバイス３００の実施形態を示している。カートリッジ２００及び血液分析器３００は、血液の粘性を検出し、粘性が変化するのに必要とされる持続時間（活性化凝固時間又は凝固強度に関する）を測定し、血液の凝固に関するもの（及び他の情報）を導出して表示するための装置を含む。作動時には、カートリッジ２００が粘性を試験される血液で満たされる前又は満たされた後に、カートリッジを血液分析器３００内に挿入することができる。図示のカートリッジ２００は、複数の流体受容チャンバ１１４を含む。次いで、分析器デバイス３００は、望ましい分析のタイプに従う予め決められた手順に続いて分析試験を実施する。カートリッジ２００の使用により、分析器３００は、粘性関連の試験、例えば、血液凝固時間試験、用量応答試験、及び滴定試験を含むがこれらに限定されない様々な試験を正確、確実、かつ迅速に実施する。
【００３２】
流体試料を含むカートリッジ２００が血液分析デバイス３００内に入れられた後に、血液凝固分析チャンバ１１４内に存在する図４に示す強磁性ワッシャ１１６のような強磁性材料が、流体試料中で持ち上げられ、沈下することが許される。次いで、分析器デバイス３００は、強磁性材料１１６が流体試料中を沈降するのに必要とされる時間を検出して測定する。流体の粘性が変化すると（増大するか、又は低下するかのいずれか）、流体試料中での強磁性材料１１６の沈降時間は相応に変化することになる。更に、デバイス３００は、実施される分析試験のタイプを区別して、この特定に基づいて試験結果を計算することができる。次いで、これらの試験結果をプログラムされた他の試験情報又は他の試験結果と比較することができる（例えば、コンピュータプログラムによる比較により）。
【００３３】
カートリッジ２００の実施形態の上面図を図４により詳細に示している。図示のカートリッジ２００は実質的に平面であり、剛性の実質的に一体的な材料、例えば、ＰＥＴＧ（ポリエチレンテレフタレート）のようなプラスチック、すなわち、最も好ましくは、試験されている流体試料に関して不活性なもので形成される。カートリッジ２００を形成する元になる剛性材料は、部分的又は完全に透明とすることができる。カートリッジ２００は、単体又は一体部分として製造することができ（例えば、射出成形技術により）、又は様々な別個の部分から組み立てることができる。実施形態において、粘性変更物質（例えば、血液凝固影響試薬）がカートリッジ２００内に入れられた後に、別個の明確に異なる上部（図示せず）がカートリッジ２００に取り付けられる。実施形態において、上部は、Ｍｅｌｉｎｅｘ（登録商標）のような熱溶着可能なポリエステルフィルム材料である。
【００３４】
図示の実施形態において、カートリッジ２００内への流体試料の流入に向けて、カートリッジ２００の名目上の前部分に注入ポート１０８が設けられる。注入ポート１０８は、流体試料を流体受容／分注リザーバ１１０内に向ける。流体受容／分注リザーバ１１０から、流体は、１又は２以上の導管１１２を通して、各導管のそれぞれの血液凝固分析チャンバ１１４に進む。カートリッジ２００を通じたこの流体移動に対する推進力は、流体注入機構又はポンピング機構、例えば、手動シリンジにより、又は吸引、例えば、真空システムのような他の方法によって与えられる。最も好ましくは、流体が、流体受容／分注リザーバ１１０から同時又はほぼ同時に各血液凝固分析チャンバ１１４内に移動するように、各血液凝固分析チャンバ１１４は、流体受容／分注リザーバ１１０から等距離にある。各血液凝固分析チャンバ１１４は、好ましくは、約１００マイクロリットルから約２５０マイクロリットルの体積を有する。図４には６つの流体受容チャンバ１１４を示すが、あらゆる望ましい向きにあるあらゆる望ましい個数の血液凝固分析チャンバ１１４をカートリッジ２００内に形成することができることは理解されるものとする。本明細書では、他の向き、構成、個数、及びサイズのあらゆるそのような血液凝固分析チャンバ１１４を有するカートリッジが考えられている。
【００３５】
好ましくは、分析試験結果の精度を確実にするために、複数の血液凝固分析チャンバ１１４がほぼ同時に満たされる。そのような同時又はほぼ同時の充満は、流体受容／分注リザーバ１１０に、それが血液凝固分析チャンバ１１４に流体を供給するための均一なマニホルドとして機能するように実質的に三角形の構成を与えることによって達成することができる。
【００３６】
カートリッジ２００内に含まれる空気は、流体試料が流入するときにカートリッジ２００から排気することができる。図示の実施形態において、第２の導管１１８が、血液凝固分析チャンバ１１４から空気排気／流体閉栓デバイス（図示せず）に至る。流体試料がカートリッジ２００に流入し、いずれかの与えられた血液凝固分析チャンバ１１４内に移動するときに、流体受容／分注リザーバ１１０内、第１の導管１１２内、及び血液凝固分析チャンバ１１４内に含まれる空気は、第２の導管１１８を通してカートリッジ２００の外に排気される。
【００３７】
血液凝固分析チャンバ１１４内で又はそこへの流入の前に、１又は２以上の試薬は、血液と混合することができる。試薬は、カートリッジの組立てを完了させる（例えば、カートリッジの上部を固定する）前に、カートリッジの適切な試薬チャンバ内に入ることができる。試薬チャンバは、血液凝固分析チャンバ１１４とすることができ、又は流体受容／分注リザーバ１１０と血液凝固分析チャンバ１１４の間の導管１１２の経路にあるチャンバ（図示せず）とすることができる。試薬は、試薬を含むカートリッジの有効保存寿命を延ばすために、好ましくは、乾燥状態、凍結乾燥状態、又は類似の状態のものである。
【００３８】
実施形態において、カートリッジの１又は２以上の試薬チャンバは、凝固速度改善剤を収容する。実施形態において、試薬チャンバの全てが凝固速度改善剤を収容する。本明細書に使用する凝固速度改善剤は、接触経路（内因性経路としても公知）活性剤、又は組織ファクタ経路（外因性経路としても公知）、又はこれら両方の組合せである。接触経路活性剤の例は、カオリン、セライト、シリカ、エラグ酸、リン脂質などを含む。カオリンのような凝固速度改善剤の存在下では、凝固時間を「活性化凝固時間」又は「ＡＣＴ」と呼び、一般的にこの時間は、そのような薬剤を用いない場合よりも有意に短い。組織ファクタは、トロンボプラスチン（ファクタＩＩＩ）とも呼ぶ。組織ファクタのような凝固速度改善剤の存在下では、凝固時間は、「プロトロンビン時間」又は「ＰＴ」と呼ぶ。ＰＴは、ＡＣＴよりも有意に短い。
【００３９】
実施形態において、１又は２以上の試薬チャンバは、ヘパリン中和剤を収容する。ヘパリン中和剤は、ヘパリンの機能を阻害する薬剤を含み、ボリプレン、ヘパリナーゼ、及びプロタミンのようなヘパリン拮抗薬を含む。一例として、ヘパリナーゼは、開心術のような手術において凝固を防止するために多くの場合に使用される抗凝血剤であるヘパリンを不活性化又は酵素分解する。過剰ヘパリン又はヘパリンリバウンド（この場合に、既に結合しており、従って、利用不能なヘパリンが自由になり、抗凝血剤として機能するのに利用可能である）は、術後出血の一般的な原因である。ヘパリナーゼ（又は別のヘパリン中和剤）を含む試験チャンバの凝固時間が、ヘパリナーゼ（又は他のヘパリン中和剤）を持たない試験チャンバと比較して短縮した場合に、過剰なヘパリンを考えられる術後出血の原因として識別することができる。
【００４０】
従って、一般的に患者には、術前又は術中に患者にヘパリンが投与された手術の後のヘパリンの効果を相殺する薬剤（例えば、ヘパリン拮抗薬）が投与される。１つのそのような薬剤はプロタミンである。本発明の開示の目的で、「プロタミン」は、硫酸プロタミンをも意味する。一方、プロタミン自体は弱い抗凝血剤である。過剰なプロタミンが投与された場合に、ヘパリンの抗凝血剤効果を阻止することを目的とするプロタミンは、術後出血の原因である可能性がある。過剰なプロタミンが出血の原因である可能性があるか否かを見るための試験を行うために、１又は２以上の試薬チャンバは、低濃度のヘパリンを含むことができる。低濃度のヘパリンの存在下で凝固時間が短縮した場合に、過剰なプロタミンを術後出血に寄与するファクタであると決定することができる。過剰なプロタミンは、ヘパリナーゼのようなヘパリン中和剤を有するチャンバと持たないチャンバとの間に殆ど又は全く凝固時間変化がないことによって確認することができる。ヘパリンを有するチャンバの別の目的は、トロンビン活性がヘパリンによって阻害された状態での血小板及び線維素の凝固強度への寄与を査定することである。この査定は、ヘパリンを持たないチャンバ（例えば、ヘパリン中和剤を有するチャンバ）とヘパリンを有するチャンバとの間の凝固強度の比較によって達成することができる。
【００４１】
実施形態において、１又は２以上の試薬チャンバは、血小板活性剤を収容する。血小板活性剤は、血小板機能障害を診断するために使用することができる。血小板活性剤の存在下で凝固時間が短縮した場合又は凝固強度が増大した場合に、血小板は、正常に機能していると決定することができる。しかし、凝固強度又は凝固時間が変化しなかった（又は閾値量よりも小さくしか変化しなかった）場合に、血小板機能障害は、患者の異常出血に寄与するファクタである可能性がある。これに代えて、血小板機能を査定するのに血小板阻害薬剤を使用することができる。血小板阻害薬剤の存在下で凝固時間が延びた場合又は凝固強度が増大した場合に、血小板は、正常に機能していると決定することができる。変化が全くないか又は閾値量よりも小さい変化しかない場合に、血小板機能障害は、出血に寄与するファクタである可能性がある。
【００４２】
使用することができる血小板活性剤の例は、コラーゲン、アデノシン二リン酸（ＡＤＰ）、エピネフリン、アラキドン酸を含む。
【００４３】
理論によって拘束されるように考えることなく、一部のシナリオでは、凝固時間は、血小板活性剤の存在によってそれ程大きく影響を受けない場合があり、従って、凝固時間パラメータの使用によって血小板機能障害が容易に識別されない可能性があると考えられる。しかし、そのようなシナリオのうちの一部では、凝固強度が血小板活性剤の存在（又はの不在）と共に有意に変化する可能性がある（血小板機能障害が存在しない場合に）。従って、血小板活性剤の存在下で凝固強度の変化が殆ど又は全く見受けられない場合に、血小板機能障害は、出血に寄与するファクタである可能性があると決定することができる。
【００４４】
実施形態において、１又は２以上の試薬チャンバは、フィブリノーゲン又はフィブリン溶解の阻害剤を収容する。本明細書に使用する「フィブリン溶解阻害剤」は、フィブリンの分解又は劣化を阻害する薬剤である。フィブリン溶解阻害剤の例は、トラネキサム酸、イプシロンアミノカプロン酸（ＡＭＩＣＡＲ）、アプロチニン、プラスミノーゲン活性剤阻害剤１、プラスミノーゲン活性剤阻害剤２、α２−抗プラスミン、及びα２−マクログロブリンのようなプラスミン又はプラスミノーゲンの阻害剤（プラスミノーゲンからプラスミンへの変換の阻害剤を含む）を含む。フィブリノーゲン欠損又はフィブリン重合障害によって引き起こされる出血の診断に対しては、フィブリノーゲンが好ましい薬剤である。フィブリン溶解亢進によって引き起こされる出血の診断に対しては、トラネキサム酸のような抗フィブリン溶解薬が好ましい薬剤である。フィブリノーゲンを有する試薬チャンバ内では、弱いフィブリン重合によって出血が引き起こされる場合に、凝固強度は、フィブリノーゲンを持たない試薬チャンバと比較して強いことが予想される。凝固時間は、追加されるフィブリノーゲンが凝固時間閾値設定に依存する結果として短縮するか又は変化しない可能性がある。実施形態において、フィブリノーゲンを含むチャンバは、血小板からの効果の不在（又は低減）時の凝固に対するフィブリン又はフィブリノーゲンの効果を評価するために、更に血小板阻害薬剤を収容する。
【００４５】
フィブリン溶解亢進が出血の原因である場合に、抗フィブリン溶解剤を有する試薬チャンバは、遅延フィブリン溶解時間を有することになり、凝固強度は、フィブリン溶解過程においてより強くなる。凝固時間変化は殆ど又は全く予想されない。
【００４６】
実施形態において、１又は２以上の試薬チャンバは、血漿を収容する。ある患者では、消費性凝固障害が凝固ファクタを消耗させ、それによって手術創の凝固に対して利用不能にする。血漿は、ファクタの消耗に寄与するように使用することができる。従って、凝固強度が増大した場合（例えば、予め決められた量又は百分率だけ）又は凝固時間が短縮した場合（例えば、予め決められた量又は百分率だけ）に、消費性凝固障害は、術後出血に寄与するファクタであると見なすことができる。
【００４７】
上記に列挙した試薬は、本明細書に説明するカートリッジ内に使用するか又は採用することができる試薬の例でしかない。他の薬剤を採用することができることは理解されるであろう。採用することができる試薬の例を下記の表１〜３に提供する。
【００４８】
（表１）
表１：血小板粘着／凝集を試験するための血小板活性剤を用いた血小板機能試験
0006407255.tif 000002
【００４９】
（表２）
表２：血小板阻害剤
0006407255.tif 000003
【００５０】
（表３）
表３：試験チャンバにおける使用のための選択された試薬
0006407255.tif 000004
【００５１】
実施形態において、１又は２以上の試薬から構成される１又は２以上の組合せが、１又は２以上のチャンバ内に含まれる。
【００５２】
表４には、血小板機能及び出血性合併症の完全な分析を可能にするために、異なる薬剤組合せが血液と混合され、血液凝固の様々な態様が決定されて比較される６つの異なるチャネル又はチャンバを有するためのシステムの例としての特定の実施形態を提供している。表４内の試薬を表１、表２、及び表３に列挙している他の試薬と置換すること、これらの他の試薬で補うことなどを行うことができる。例えば、凝固過程を更に早めるために、活性剤であるカオリンを組織ファクタで置換することができ、ヘパリン中和剤をヘパリナーゼの代わりにポリブレンとすることができ、以降同じく続く。
【００５３】
（表４）
表４：様々なチャネル内の薬剤、及び診断に向けて行うことができる比較
0006407255.tif 000005
【００５４】
表４に示すように、血液凝固に影響を及ぼす１又は２以上の薬剤を有する与えられたチャンバから得られた活性化凝固時間、凝固強度、フィブリン溶解等に関するデータを異なる薬剤が血液と混合される別のチャンバから得られた類似のデータと比較することができる。
【００５５】
本明細書に説明する血液凝固分析は、１つよりも多いカートリッジを用いて実施することができ、又はいかなるカートリッジも用いずに、異なる別個の反応チャンバを用いて実施することができることは理解されるであろう。しかし、単一カートリッジの使用は、使用するのが容易で好ましい血液診断分析を可能にする。
【００５６】
装置又はシステム又は様々な構成要素によるものを含む本発明の開示に説明する方法は、少なくとも部分的にハードウエア、ソフトウエア、ファームウエア、又はこれらのあらゆる組合せに実施することができる。例えば、本方法の様々な態様は、１又は２以上のマイクロプロセッサ、ＤＳＰ、ＡＳＩＣ、ＦＰＧＡ、又はあらゆる他の均等な集積論理回路又は離散論理回路、並びにそのような構成要素のあらゆる組合せを含む１又は２以上のプロセッサ内に実施することができる。「プロセッサ」又は「処理回路」という表現は、一般的に、単独又は他の論理回路との組合せでの上述の論理回路、又はあらゆる他の均等な回路のうちのいずれかを指示することができる。
【００５７】
そのようなハードウエア、ソフトウエア、ファームウエアは、本発明の開示に説明する様々な作動及び機能に対応するのに同じ装置の内部又は別個の装置の内部に実施することができる。更に、説明するユニット、モジュール、又は構成要素のうちのいずれかを離散的であるが相互作動可能な論理デバイスとして互いに又は別個に実施することができる。モジュール又はユニットとしての異なる特徴部の説明は、異なる機能態様を強調するように意図したものであり、そのようなモジュール又はユニットを別個のハードウエア構成要素又はソフトウエア構成要素として実現しなければならないことを必ずしも示唆しているわけではない。より正確には、１又は２以上のモジュール又はユニットに関する機能は、別個のハードウエア構成要素又はソフトウエア構成要素によって実施するか又は共通又は別個のハードウエア構成要素又はソフトウエア構成要素内に統合することができる。
【００５８】
ソフトウエアに実施される場合に、本発明の開示に説明するシステム、装置、及び方法による機能は、ＲＡＭ、ＲＯＭ、ＮＶＲＡＭ、ＥＥＰＲＯＭ、フラッシュメモリ、磁気データストレージ媒体、又は光データストレージ媒体などのようなコンピュータ可読媒体上の命令として具現化することができる。そのようなコンピュータ可読媒体は持続性のものである。これらの命令は、本発明の開示に説明する機能の１又は２以上の態様に対応する１又は２以上のプロセッサによって実行することができる。
【００５９】
本明細書では、方法、装置、及びシステムの実施形態を記述した。本明細書に説明する方法、デバイス、及びシステムの選択された態様の要約を以下に提供する。
【００６０】
第１の態様において、血液凝固分析器における使用のためのカートリッジは、血液凝固分析チャンバとして機能するように構成されたか又は血液凝固分析器と共に使用される場合に血液凝固分析チャンバと連通している複数の試薬チャンバを含む。複数の試薬チャンバは、（ｉ）凝固速度改善剤を収容する第１のチャンバと、（ｉｉ）凝固速度改善剤とヘパリン中和剤とを収容する第２のチャンバと、（ｉｉｉ）凝固速度改善剤と血小板活性剤とヘパリン中和剤とを収容する第３のチャンバと、（ｉｖ）凝固速度改善剤とフィブリノーゲンと血小板阻害剤とを収容する第４のチャンバとを含む。
【００６１】
第２の態様は、複数の試薬チャンバが、凝固速度改善剤とヘパリンとを収容する第５のチャンバを更に含む場合の第１の態様のカートリッジである。
【００６２】
第３の態様は、複数の試薬チャンバが、凝固速度改善剤と血漿とヘパリン中和剤とを収容する第６のチャンバを更に含む場合の第１又は第２の態様のカートリッジである。
【００６３】
第４の態様は、複数の試薬チャンバが、凝固速度改善剤とフィブリン溶解阻害剤とヘパリン中和剤とを収容する第７のチャンバを更に含む場合の上述の態様のうちのいずれか１つによるカートリッジである。
【００６４】
第５の態様は、フィブリン溶解阻害剤が、プラスミン又はプラスミノーゲンの阻害剤から構成される群から選択される場合の第４の態様によるカートリッジである。
【００６５】
第６の態様は、フィブリン溶解阻害剤が、プラスミノーゲン活性剤阻害剤１、プラスミノーゲン活性剤阻害剤２、α２−抗プラスミン、及びα２−マクログロブリンから構成される群から選択される場合の第５の態様によるカートリッジである。
【００６６】
第７の態様は、複数の試薬チャンバが、凝固速度改善剤と血小板阻害剤とヘパリン中和剤とを収容する第８のチャンバを更に含む場合の上述の態様のうちのいずれか１つによるカートリッジである。
【００６７】
第８の態様は、チャンバの各々内の凝固速度改善剤が、同じであり、かつセライト、カオリン、及び組織ファクタから構成される群から選択される場合の上述の態様のうちのいずれか１つによるカートリッジである。
【００６８】
第９の態様は、凝固速度改善剤がカオリンである場合の第８の態様によるカートリッジである。
【００６９】
第１０の態様は、血小板活性剤が、コラーゲン、エピネフリン、アデノシン二リン酸（ＡＤＰ）、及びアラキドン酸から構成される群から選択される場合の上述の態様のうちのいずれか１つによるカートリッジである。
【００７０】
第１１の態様は、血小板活性剤がＡＤＰである場合の第１０の態様によるカートリッジである。
【００７１】
第１２の態様は、血小板阻害剤が糖タンパクＩＩｂ／ＩＩＩａ阻害剤である場合の上述の態様のうちのいずれか１つによるカートリッジである。
【００７２】
第１３の態様は、ヘパリン中和剤がヘパリナーゼである場合の上述の態様のうちのいずれか１つによるカートリッジである。
【００７３】
第１４の態様は、試薬チャンバが血液凝固分析チャンバとして機能するように構成され、カートリッジが複数の強磁性物体を更に含み、これらの複数の強磁性物体のうちの少なくとも１つが、複数の試薬チャンバのうちの各々内に配置される場合の上述の態様のうちのいずれか１つによるカートリッジである。
【００７４】
第１５の態様は、（ｉ）態様１〜態様１４のうちのいずれか１つによるカートリッジと、（ｉｉ）カートリッジを受け入れて、血液分析チャンバ内で試薬チャンバからの試薬を血液と混合するように構成された血液凝固分析器とを含む血液凝固分析システムである。血液凝固分析器は、（ｉ）血液凝固に関連付けられたパラメータをモニタするように構成された１又は２以上の検出器と、（ｉｉ）１又は２以上の検出器と作動可能に結合され、検出器から受け入れるデータに基づいて凝固時間又は凝固強度を決定し、内部で異なる試薬が血液と混合される異なる血液分析チャンバからの凝固時間又は凝固強度を比較するように構成された電子機器とを含む。
【００７５】
第１６の態様は、カートリッジが第１４の態様によるカートリッジであり、システムが、電子機器と作動可能に結合された１又は２以上の電磁石を更に含む場合の第１５の態様によるシステムである。電子機器は、強磁性物体を移動するように１又は２以上の電磁石を作動しするように構成される。
【００７６】
第１７の態様は、電子機器が、複数の血液分析チャンバの各々内で強磁性物体を独立に移動するように（好ましくは、殆ど又は全くクロストークを伴わずに）１又は２以上の電磁石を作動しするように構成される場合の第１６の態様によるシステムである。
【００７７】
第１８の態様は、電子機器が、第１のチャンバからの試薬と混合した血液の活性化凝固時間を第２のチャンバからの試薬と混合した血液の活性化凝固時間と比較するように構成される場合の態様１５〜態様１７のうちのいずれか１つによるシステムである。
【００７８】
第１９の態様は、電子機器が、第２のチャンバからの試薬と混合した血液の凝固強度を第３のチャンバからの試薬と混合した血液の凝固強度と比較するように構成される場合の態様１５〜態様１８のうちのいずれか１つによるシステムである。
【００７９】
第２０の態様は、電子機器が、第１のチャンバからの試薬と混合した血液の凝固時間を第４のチャンバからの試薬と混合した血液の凝固時間と比較するように構成される場合の態様１５〜態様１９のうちのいずれか１つによるシステムである。
【００８０】
第２１の態様は、電子機器が、第１のチャンバからの試薬と混合した血液の凝固強度を第４のチャンバからの試薬と混合した血液の凝固強度と比較するように構成される場合の態様１５〜態様２０のうちのいずれか１つによるシステムである。
【００８１】
第２２の態様は、（ｉ）第１のチャンバからの試薬と混合した血液の凝固時間を第５のチャンバからの試薬と混合した血液の凝固時間と比較し、（ｉｉ）第２のチャンバからの試薬と混合した血液の凝固時間を第５のチャンバからの試薬と混合した血液の凝固時間と比較し、又は（ｉｉｉ）第１のチャンバからの試薬と混合した血液の凝固時間を第２のチャンバからの試薬と混合した血液の凝固時間及び第５のチャンバからの試薬と混合した血液の凝固時間と比較するように構成される場合の態様１５〜態様２１のうちのいずれか１つによるシステムである。
【００８２】
第２３の態様は、第２のチャンバからの試薬と混合した血液の凝固強度を第５のチャンバからの試薬と混合した血液の凝固強度と比較するように構成される場合の態様１５〜態様２２のうちのいずれか１つによるシステムである。
【００８３】
第２４の態様は、第１のチャンバからの試薬と混合した血液の凝固時間、凝固強度、又はフィブリン溶解時間を第６のチャンバからの試薬と混合した血液の活性化凝固時間、凝固強度、又はフィブリン溶解時間と比較するように構成される場合の態様１５〜態様２３のうちのいずれか１つによるシステムである。
【００８４】
第２５の態様は、第２のチャンバからの試薬と混合した血液の凝固時間又は凝固強度を第７のチャネルからの試薬と混合した血液の凝固時間又は凝固強度と比較するように構成される場合の態様１５〜態様２４のうちのいずれか１つによるシステムである。
【００８５】
第２６の態様は、（ｉ）第２のチャンバからの試薬と混合した血液の凝固強度を第８のチャネルからの試薬と混合した血液の凝固強度と比較し、（ｉｉ）第３のチャンバからの試薬と混合した血液の凝固強度を第８のチャネルからの試薬と混合した血液の凝固強度と比較し、又は（ｉｉｉ）第２のチャンバからの試薬と混合した血液の凝固強度を第３のチャンバからの試薬と混合した血液の凝固強度及び第８のチャネルからの試薬と混合した血液の凝固強度と比較するように構成される場合の態様１５〜態様２５のうちのいずれか１つによるシステムである。
【００８６】
第２７の態様は、（ｉ）血液凝固分析システムの第１のチャンバ内で患者の血液を凝固速度改善剤と混合し、第１のチャンバ内の血液の凝固時間を決定する段階と、（ｉｉ）血液凝固分析システムの第２のチャンバ内で患者の血液を凝固速度改善剤及びヘパリン中和剤と混合し、第２のチャンバ内の血液の凝固時間及び凝固強度を決定する段階と、（ｉｉｉ）血液凝固分析システムの第３のチャンバ内で患者の血液を凝固速度改善剤、血小板活性剤、及びヘパリン中和剤と混合し、第３のチャンバ内の血液の凝固強度を決定する段階と、（ｉｖ）血液凝固分析システムの第４のチャンバ内で患者の血液を凝固速度改善剤、フィブリノーゲン、及び血小板阻害剤と混合し、第４のチャンバ内の血液の凝固時間及び凝固強度を決定する段階と、（ｖ）第１のチャンバ内の血液の凝固時間を第２のチャンバ内の血液の凝固時間と比較する段階と、（ｖｉ）第２のチャンバ内の血液の凝固強度を第３のチャネル内の血液の凝固強度と比較する段階と、（ｖｉｉ）第１のチャンバ内の血液の凝固時間を第４のチャンバ内の血液の凝固時間と比較する段階とを含む方法である。
【００８７】
第２８の態様は、（ｉ）血液凝固分析システムの第５のチャンバ内で患者の血液を凝固速度改善剤及びヘパリンと混合し、第５のチャンバ内の血液の凝固時間を決定する段階と、（ｉｉ）第２のチャンバ内の血液の凝固時間を第５のチャンバ内の血液の活性化凝固時間と比較する段階とを更に含む第２７の態様による方法である。
【００８８】
第２９の態様は、（ｉ）血液凝固分析システムの第６のチャンバ内で患者の血液を凝固速度改善剤、血漿、及びヘパリン中和剤と混合し、第６のチャンバ内の血液の凝固時間を決定する段階と、（ｉｉ）第２のチャンバ内の血液の凝固時間を第６のチャンバ内の血液の凝固時間と比較する段階とを更に含む第２７の態様又は第２８の態様による方法である。
【００８９】
第３０の態様は、（ｉ）血液凝固分析システムの第７のチャンバ内で患者の血液を凝固速度改善剤、フィブリン溶解阻害剤、及びヘパリン中和剤と混合し、第７のチャンバ内の血液の凝固時間又は凝固強度を決定する段階と、（ｉｉ）第２のチャンバからの試薬と混合した血液の凝固時間又は凝固強度を第７のチャネルからの試薬と混合した血液の凝固時間又は凝固強度と比較する段階とを更に含む第２７の態様〜第２９の態様のうちのいずれか１つによる方法である。
【００９０】
第３１の態様は、（Ａ）血液凝固分析システムの第８のチャンバ内で患者の血液を凝固速度改善剤、血小板阻害剤、及びヘパリン中和剤と混合し、第８のチャンバ内の血液の凝固強度を決定する段階と、（Ｂ）（ｉ）第２のチャンバからの試薬と混合した血液の凝固強度を第８のチャネルからの試薬と混合した血液の凝固強度と比較し、（ｉｉ）第３のチャンバからの試薬と混合した血液の凝固強度を第８のチャネルからの試薬と混合した血液の凝固強度と比較し、又は（ｉｉｉ）第２のチャンバからの試薬と混合した血液の凝固強度を第８のチャネルからの試薬と混合した血液の凝固強度と比較する段階とを更に含む第２７の態様〜第３０の態様のうちのいずれか１つによる方法である。第３２の態様は、方法が血液凝固分析システムによって実施される場合の第２７の態様〜第３１の態様のうちのいずれか１つによる方法である。
【００９１】
上述のように、「血液凝固を分析するための装置及び方法」の実施形態を開示した。当業者は、本明細書に記述した装置、システム、及び方法を本発明の開示のもの以外の実施形態を用いて実施することができることは理解されるであろう。本発明の開示の実施形態は、限定ではなく、例示の目的で提示したものである。当業者は、本明細書に図及び実施形態に関して示し、記述した範例の構成要素を交換可能とすることができることも理解するであろう。
【００９２】
以上の説明及び以下に続く特許請求の範囲における「第１」、「第２」、「第３」などの使用は、必ずしも列挙する個数の物体が存在することを示すように意図したものではない。例えば、「第７」のチャンバは、別のチャンバ（例えば、「第１」又は「第２」のチャンバ）から区別することだけを意図したものであり、必ずしも７つ又はそれよりも多くのチャンバが存在することを意味するわけではない。
【図１】
0006407255.tif 000006
【図２】
0006407255.tif 000007
【図３】
0006407255.tif 000008
【図４】
0006407255.tif 000009